(57)【要約】【課題】ネットワークに接続された換気扇の動作状態を検出して、ネットワークに接続された窓の動作を制御する換気システムを提供するものである。【解決手段】室内の換気を行う換気扇６０の動作状態を検出する換気扇動作検出手段６２と、窓６４の開閉を行う窓開閉手段６５と、換気扇６０の動作状態と窓６４の開閉状態を監視する監視手段６６を有し、換気扇動作検出手段６２、窓開閉手段６５、監視手段６６はネットワーク６７を介して相互に接続され、監視手段６６は、換気扇６０の動作状態を検出し、窓６４の開閉を行うようにすることにより、換気性能を落とすこともなく、また、ネットワーク６７を介して情報のやりとりができるので、配線や施工も簡単にできる。【選択図】図１
2007032953.tif 000002
【特許請求の範囲】
【請求項１】
室内に設置されたネットワークと、室内の清掃を行う掃除機と、掃除機の使用状態を送信する送信手段と、窓の開閉を行う窓開閉手段と、前記送信手段の信号を受信する受信手段と、前記受信手段の信号から前記掃除機の動作状態を認識する監視手段を有し、前記受信手段、前記窓開閉手段、前記監視手段は前記ネットワークを介して相互に接続され、前記監視手段は、前記ネットワーク経由で検出した掃除機の動作状況に応じて、前記窓開閉手段を介して、窓の開閉を行うようにした換気システム。
【請求項２】
監視手段は、掃除機が動作している部屋を特定し、その部屋の窓の開閉を優先的に実施するようにした請求項１記載の換気システム。
【請求項３】
外気温を検出する外気温センサを有し、監視手段は外気温に応じて、窓の開閉量を制御するようにした請求項１または請求項２に記載の換気システム。
【請求項４】
請求項１〜３のいずれかに記載の換気システムの少なくとも一つの手段をコンピュータに実行させるためのプログラム。
【発明の詳細な説明】
【技術分野】
【０００１】
本発明は、本発明は掃除機の動作状態を監視し、窓の開閉を制御するようにした、換気システム及びそのプログラムに関するものである。
【背景技術】
【０００２】
従来のこの種のシステムとしては、掃除機の動作開始の検出により、ネットワークに接続されたエアコンや照明装置の動作状態の制御を行うものであった（例えば、特許文献１参照）。
【０００３】
図５は、特許文献１に記載された従来のシステム構成を示すものである。図５において、掃除機本体７は掃除を開始させると、送受信手段１６及び無線媒体５を介して、運転状況を送信する。中央制御盤２は無線媒体５及び通信手段３を介して、掃除機本体７からの運転状況に関する情報を入手する。中央制御盤２は掃除機本体７の運転が始まれば、再び、無線媒体５及び通信手段３を介して、空調装置２５の運転を停止するようにしている。
【特許文献１】特開２００２−２０９８１８号公報
【発明の開示】
【発明が解決しようとする課題】
【０００４】
しかしながら、前記従来の構成では、掃除機の運転に併せて、空調装置の運転を停止させることにより、埃を舞い散らせることなく、掃除を行うことを目的としているが、掃除を行っている部屋の特定を行っていないので、空調装置の運転の制御が掃除に対して効果的にならない場合もあり、また、通常は、掃除を行う際には、掃除機本体の排気による埃の舞い散らせや掃除機から排出させるにおいなどの換気を行うために、窓を開けるのが一般的であり、掃除機を動作させるたびに、窓のある場所までいって、窓を開けることは非常に煩わしいものであった。
【０００５】
本発明は、前記従来の課題を解決するもので、掃除機の動作を検出し、かつ、掃除を行っている部屋を特定して、ネットワークに接続された特定された窓の開閉を制御する換気システムを提供することを目的とする。
【課題を解決するための手段】
【０００６】
前記従来の課題を解決するために、本発明の換気システムは室内に設置されたネットワークと、室内の清掃を行う掃除機と、掃除機の使用状態を送信する送信手段と、窓の開閉を行う窓開閉手段と、前記送信手段の信号を受信する受信手段と、前記受信手段の信号から前記掃除機の動作状態を認識する監視手段を有し、前記受信手段、前記窓開閉手段、前記監視手段はネットワークを介して相互に接続され、前記監視手段は、前記ネットワーク経由で検出した掃除機の動作状況に応じて、前記窓開閉手段を介して、窓の開閉を行うようにしたものである。
【発明の効果】
【０００７】
本発明によれば、上記構成から明らかなように、掃除機の動作状態によって、ネットワークを介して、窓の開閉を行うことにより、掃除時の埃やにおいを換気することができ、気持ちよく掃除を行うことができる。
【発明を実施するための最良の形態】
【０００８】
第１の発明は、室内に設置されたネットワークと、室内の清掃を行う掃除機と、掃除機の使用状態を送信する送信手段と、窓の開閉を行う窓開閉手段と、前記送信手段の信号を受信する受信手段と、前記受信手段の信号から前記掃除機の動作状態を認識する監視手段を有し、前記受信手段、前記窓開閉手段、前記監視手段はネットワークを介して相互に接続され、前記監視手段は、前記ネットワーク経由で検出した掃除機の動作状況に応じて、前記窓開閉手段を介して、窓の開閉を行うようにすることにより、掃除時の埃やにおいを換気することができて気持ちよく掃除を行うことができ、また、配線や施工も簡単にすることができる。
【０００９】
第２の発明は、監視手段が掃除機の動作している部屋を特定し、その部屋の窓の開閉を優先的に実施することにより、掃除を行っている部屋の窓が開閉されることになり、換気を効果的に行うことができる。
【００１０】
第３の発明は、外気温を検出する外気温センサを有し、監視手段は外気温に応じて、窓の開閉量を制御するようにすることにより、外気が所定値より低い場合は、窓の開閉量が小さくなり、部屋の温度を下げないようにすることができる。
【００１１】
第４の発明は、請求項１〜３のいずれかに記載の換気システムの少なくとも一つの手段をコンピュータに実行させるためのプログラムとすることにより、電気・情報機器、コンピュータ、サーバ等のハードウェアリソースを協動させて換気システムの少なくとも一つの手段の容易に実現することができる。また記録媒体に記録したり通信回線を用いてプログラムを配信したりすることでプログラムの配布やインストール作業が簡単にすることができる。
【００１２】
以下、本発明の実施の形態について、図面を参照しながら説明する。なお、この実施の形態によって本発明が限定されるものではない。
【００１３】
（実施の形態１）
図１は、本発明の実施の形態１における監視システムのブロック図を示すものである。
【００１４】
図１に示すように、送信手段６１は掃除機６０に接続され、掃除機６０の運転状況を検出して、その信号を送出する。受信手段６２は、各室に設置され、送信手段６１の信号を受けて、掃除機６０の運転状況を把握する。また、受信手段６２はネットワーク６７に接続され、受信した掃除機６０の運転状況をネットワーク６７上に送出する。監視手段６６は、ネットワーク６７に接続された各部屋からの受信手段６２からの信号を元に、どの部屋の掃除機６０が動作しているかを認識し、窓６４の開閉に関して、掃除機６０が動作している部屋の窓開閉手段６５に指示する。窓開閉手段６５はネットワーク６７からの情報をもとに窓６４の開閉を行う。
【００１５】
以上のように構成された換気システムについて、図２によりその動作、作用を説明する。
【００１６】
図２は動作の流れを示すフローチャートである。使用者が掃除機６０の使用を開始すると（図２のＳ１００）、掃除機６０に接続されている送信手段６１は掃除機６０の運転状態を送信する（Ｓ１０１）。受信手段６２は送信手段６１からの信号を入力し、ネットワーク６７に掃除機の運転状態を送信する（Ｓ１０２）。掃除機６０は部屋内や他の部屋に使用者が操作をしながら移動するので、送信手段６１及び受信手段６２は特定小電力無線などの無線媒体で接続されている。受信手段６２がネットワーク６７に送った情報には、掃除機６０がどの部屋で運転されているのかについての情報も含まれている。
【００１７】
監視手段６６では、ネットワーク６７から、掃除機６０が運転を開始したか、あるいは停止したか、また、どの部屋にあるかに関する情報を入手する。そして、それらの情報を分析し、掃除機が動作している部屋があるなら、その部屋にある窓６４を窓開閉手段６５を介して開けるようにする（Ｓ１０４、Ｓ１０６）。また、掃除を終えて、別の部屋に掃除機６０が移動した場合は、掃除が完了した部屋の窓６４を窓開閉手段６５を介して閉めるようにする（Ｓ１０５、Ｓ１０６）。
【００１８】
以上述べてきたように、本実施の形態１によると、使用者が掃除機６０の運転を開始したら、自動的に窓６４が開けられるために、掃除機６０の舞い上げるゴミや排出される排気によって、部屋の空気が汚されることはなく、自動的に窓６４が開閉されるため、煩わしながない。
【００１９】
（実施の形態２）
図３は、本発明の実施の形態２における換気システムのブロック図を示すものである。尚、実施の形態１と説明が重複するところは同一符号を付して説明を省略する。
【００２０】
本実施の形態において、実施の形態１と相違する点は、図３に示すように外気温センサ６８がネットワーク６７に接続されている点である。
【００２１】
以上のように構成された換気システムについて、図４によりその動作、作用を説明する。
【００２２】
使用者が掃除機６０の使用を開始すると（図２のＳ２００）、掃除機６０に接続されている送信手段６１は掃除機６０の運転状態を送信する（Ｓ２０１）。受信手段６２は送信手段６１からの信号を入力し、ネットワーク６７に掃除機の運転状態を送信する（Ｓ２０２）。
【００２３】
掃除機６０は部屋内や他の部屋に使用者が操作をしながら移動するので、送信手段６１及び受信手段６２は特定小電力などの無線媒体で接続されている。受信手段６２がネットワーク６７に送った情報には、掃除機６０がどの部屋で運転されているのかについての情報も含まれている。
【００２４】
監視手段６６では、ネットワーク６７から、掃除機６０が運転を開始したか、あるいは停止したか、また、どの部屋にあるかに関する情報を入手する（Ｓ２０３）。また、ネットワーク６７に、外気温センサ６８にて外気温を検出するように要求信号を出力する（Ｓ２０４）。
【００２５】
外気温センサ６８は外気温を検出し、その検出結果をネットワーク６７に送る。監視手段６６では、掃除機が動作している部屋があるなら、その部屋にある窓６４を窓開閉手段６５を介して開けるようにするが、外気温センサ６８から送られた外気温の情報をもとに、所定の温度（例えば１０℃）と比較し、外気温が所定の温度以下であると（Ｓ２０５）、窓６４は所定量の半分だけ開けるようにする（Ｓ２０７〜Ｓ２０９）。外気温が所定の温度より大きいと、窓６４は所定量を開けるようにする（Ｓ２０６〜Ｓ２０８）。
【００２６】
また、使用者が掃除機６０の運転を停止した場合は、実施の形態１と同様であるので説明を割愛する。
【００２７】
以上述べてきたように、本実施の形態２によると、使用者が掃除機６０の運転を開始しても、外気温が低いと、窓の開閉量を半分にするので、窓を開けたことによる外気の流入によって、室温が下がるのを軽減される。
【００２８】
また、上記各実施の形態１、２における換気システムの少なくとも一つの手段の機能をコンピュータに実行させるためのプログラムとすることにより、簡単な構成で、確実に掃除機６０の動作に連動して窓を開閉し、換気能力を満たすことができる。また、プログラムであるのでＣＰＵ（マイコン）、ＲＡＭ、ＲＯＭ、記憶装置、Ｉ／Ｏ等を備えた電気情報機器、コンピュータ、サーバ等のハードリソースを協働させてシステムの少なくとも一つの手段の機能を容易に実現することができる。また記録媒体に記録したり通信回線を用いてプログラムを配信したりすることでプログラムの配布を簡単にすることができる。
【産業上の利用可能性】
【００２９】
以上のように、本発明にかかる換気システムは、掃除時の塵やにおいを換気することができる他、石油やガス暖房機など、動作時に部屋の換気が必要な機器を動作させた場合にネットワーク経由で窓をあけて換気するような用途にも適用できる。
【図面の簡単な説明】
【００３０】
【図１】本発明の実施の形態１における換気システムの構成を示すブロック図
【図２】同換気システムの動作を示すフローチャート
【図３】本発明の実施の形態２における換気システムの構成を示すブロック図
【図４】同換気システムの動作を示すフローチャート
【図５】従来例の構成を示すブロック図
【符号の説明】
【００３１】
６０  掃除機
６１  送信手段
６２  受信手段
６４  窓
６５  窓開閉手段
６６  監視手段
６７  ネットワーク
６８  外気温センサ
【図１】
2007032953.tif 000003
【図２】
2007032953.tif 000004
【図３】
2007032953.tif 000005
【図４】
2007032953.tif 000006
【図５】
2007032953.tif 000007